(57)【要約】【課題】浴室に取り付けられるミスト発生器においてミスト化されなかった水を有効に活用することが可能な排水利用システムを提供する。【解決手段】排水利用システムＳ１は、洗濯槽４１を有する洗濯機４０と、ミスト浴が可能な浴室１０とを備えた居住空間に適用されるシステムであって、浴室１０に取り付けられており、水ＷＬからミストを発生させ、ミストを浴室１０に供給するミスト発生器１と、ミスト発生器１に水ＷＬを供給する水供給系統と、ミスト発生器１と洗濯機４０の洗濯槽４１とを連通させて、ミスト発生器１においてミストにならなかった水ＷＬを洗濯槽４１に導く連通管７とを含む。【選択図】図２
2011219988.tif 000002
【特許請求の範囲】
【請求項１】
洗濯槽を有する洗濯機と、ミスト浴が可能な浴室とを備えた居住空間に適用される排水利用システムであって、
前記浴室に取り付けられており、水からミストを発生させ、前記ミストを前記浴室に供給するミスト発生器と、
前記ミスト発生器に前記水を供給する水供給系統と、
前記ミスト発生器と前記洗濯機の前記洗濯槽とを連通させて、前記ミスト発生器において前記ミストにならなかった水を前記洗濯槽に導く連通管と、
を備えた排水利用システム。
【請求項２】
請求項１に記載の排水利用システムにおいて、前記ミストにならなかった水が所定のヘッド圧を有するように前記ミスト発生器は前記洗濯槽よりも高い位置に取り付けられている排水利用システム。
【請求項３】
請求項１または２に記載の排水利用システムにおいて、前記ミスト発生器は、ユーザが該ミスト発生器を動作させるための操作手段を有し、
前記洗濯機は、三方弁と、前記洗濯槽に接続された排水管と、前記三方弁を制御する制御部とを含み、
前記三方弁は、前記連通管に接続された入力ポートと、前記洗濯槽に連通された第１出力ポートと、前記排水管に接続された第２出力ポートとを有し、
前記制御部は、前記ミスト発生器が動作開始したことを検知することが可能に構成されており、前記ミスト発生器の動作開始を検知すると、前記第１出力ポートを開状態とするときは前記第２出力ポートが閉状態となるように、かつ前記第１出力ポートを閉状態とするときは前記第２出力ポートが開状態となるように前記三方弁を制御する排水利用システム。
【発明の詳細な説明】
【技術分野】
【０００１】
本発明は、家庭から出る排水、例えば浴室に備えられたミスト発生器から出る排水を有効に活用する排水利用システムに関する。
【背景技術】
【０００２】
従来、環境面を考慮して水資源を有効に活用するために、家庭から出る排水を浄化して再利用する技術が提案されている（例えば特許文献１）。特許文献１の生活排水利用装置は、トイレ、浴槽から出る排水や、洗濯機や食器洗浄器等の家電製品から出る排水を浄化して、浄化した排水を洗濯機等に再利用するものである。
【０００３】
ところで、近年、一般家庭の浴室用のミスト発生器が人気を得ている。ミスト発生器は、所定のミスト発生機構によって水からミストを発生させ、そのミストを浴室に供給するものである。浴室内へのミストの供給により、浴室は低温かつ高湿度の環境となり、ユーザは所謂湿式サウナを家庭で楽しむことができる。
【先行技術文献】
【特許文献】
【０００４】
【特許文献１】特開２０００−１１７２５７号公報
【発明の概要】
【発明が解決しようとする課題】
【０００５】
水からミストを発生させる前記ミスト発生機構として、様々なものが知られているが、ミスト発生機構によっては、水からミストを発生させるミスト化率が比較的低くなる。ミストにならなかった水は、清浄度が高いにもかかわらず、排水されている。
【０００６】
そこで、本発明は、上記事情に鑑み、浴室に取り付けられるミスト発生器においてミスト化されなかった水を有効に活用することが可能な排水利用システムを提供することを目的とする。
【課題を解決するための手段】
【０００７】
上記目的を達成するために、本発明に係る排水利用システムは、洗濯槽を有する洗濯機と、ミスト浴が可能な浴室とを備えた居住空間に適用される排水利用システムであって、前記浴室に取り付けられており、水からミストを発生させ、前記ミストを前記浴室に供給するミスト発生器と、前記ミスト発生器に前記水を供給する水供給系統と、前記ミスト発生器と前記洗濯機の前記洗濯槽とを連通させて、前記ミスト発生器において前記ミストにならなかった水を前記洗濯槽に導く連通管とを含む。
【０００８】
本発明に係る排水利用システムによれば、ミスト発生器と洗濯機の洗濯槽とを連通させる連通管が設けられているので、ミスト発生器においてミストにならなかった水を、連通管を通して洗濯槽に導くことができる。これにより、洗濯槽に貯えられた水は、排水されずに洗濯のために有効に活用することができる。
【０００９】
本発明の好ましい実施形態では、前記ミストにならなかった水が所定のヘッド圧を有するように前記ミスト発生器は前記洗濯槽よりも高い位置に取り付けられている。
【００１０】
この構成によれば、ミスト発生器は洗濯槽よりも高い位置に取り付けられているので、言い換えれば、連通管に勾配が付与されているので、ミストにならなかった水に、電動ポンプ等の外部エネルギーを用いることなく洗濯槽に流入させることが可能な程度のヘッド圧を付与することができる。
【００１１】
本発明の他の好ましい実施形態では、前記ミスト発生器は、ユーザが該ミスト発生器を動作させるための操作手段を有し、前記洗濯機は、三方弁と、前記洗濯槽に接続された排水管と、前記三方弁を制御する制御部とを含み、前記三方弁は、前記連通管に接続された入力ポートと、前記洗濯槽に連通された第１出力ポートと、前記排水管に接続された第２出力ポートとを有し、前記制御部は、前記ミスト発生器が動作開始したことを検知することが可能に構成されており、前記ミスト発生器の動作開始を検知すると、前記第１出力ポートを開状態とするときは前記第２出力ポートが閉状態となるように、かつ前記第１出力ポートを閉状態とするときは前記第２出力ポートが開状態となるように前記三方弁を制御する。
【００１２】
この構成によれば、制御部は、第１出力ポートを開状態とするときは第２出力ポートが閉状態となるように三方弁を制御して、ミストにならなかった水の洗濯槽への流入を許容する一方、第１出力ポートを閉状態とするときは第２出力ポートが開状態となるように三方弁を制御して、ミストにならなかった水の洗濯槽への流入を許容せず、その水を排水管に導く。これにより、洗濯機の運転モード、例えば、洗い、待機、脱水、排水、乾燥の各運転モードに対応させて、ミストにならなかった水の洗濯槽への流入を制御することができる。
【発明の効果】
【００１３】
本発明に係る排水利用システムによれば、浴室に取り付けられるミスト発生器においてミスト化されなかった水を有効に活用することが可能である。
【図面の簡単な説明】
【００１４】
【図１】一般的なミスト発生器および給湯システムの構成図である。
【図２】本発明の実施形態に係る排水利用システムを示す構成図である。
【発明を実施するための形態】
【００１５】
以下、本発明を実施するための形態について、図面を参照しながら詳細に説明する。
【００１６】
本実施形態に係る排水利用システムは、洗濯槽を有する洗濯機と、ミスト浴が可能な浴室とを備えた居住空間に適用されるものであって、浴室に取り付けられたミスト発生器から出る排水を有効に活用するものである。ミスト発生器は、例えば電気式の給湯システムから水の供給を受け、前記水からミストを発生させて、前記ミストを浴室内に供給するものである。ミストの浴室内への供給により、浴室内は低温かつ高湿度の環境となり、ユーザは所謂湿式サウナを楽しむことができる。
【００１７】
ミスト発生器は、水からミストを発生させるためのミスト発生機構を有する。ミスト発生機構として、例えば水破砕ユニットが知られている。水破砕ユニットは、給湯システムから供給された水を、高速で回転するファンまたはファン周辺の壁部に衝突させ、衝撃によってミスト化するものである。
【００１８】
しかしながら、ミスト発生機構は、給湯システムから供給された水の全量をミスト化できないため、ミスト化されなかった水（以下、ミスト排水という）は、清浄度が高いものの外部に排出される。ミスト発生機構によっては、水からミストを発生させるミスト化率が低いものがあり、その場合、ミスト排水量は大きくなる。このように、ミスト発生器は、ユーザに快適な浴室環境を提供するものであるが、水資源を無駄にしている。そこで、本実施形態に係る排水利用システムは、清浄度の高いミスト排水を再利用して水資源を有効に活用する手段を提供する。
【００１９】
まず、本実施形態に係る排水利用システムの説明に先立ち、図１を参照しながら、従来のミスト発生器に対する水供給系統およびミスト発生器から出たミスト排水の排水系統について説明する。
【００２０】
ミスト発生器１に水を供給する給湯システム２０は、浴槽１１に給湯したり、ミスト発生器１に給水したりする貯湯タンクユニットとして構成されており、貯湯タンク２１、第１分岐管２２、第２分岐管２３、第１配管２４、第２配管２５、湯水混合三方弁２６および給湯制御部２７を含む。
【００２１】
貯湯タンク２１は、３００〜５６０リットル程度の内容量を有する加熱水の貯留タンクであり、ヒートポンプユニット２８に接続されている。ヒートポンプユニット２８は、貯湯タンク２１内の水を加熱するためのものであって、貯湯タンク２１の下部から低温の水を吸い込んで所定の温度、例えば６０〜９０℃程度に昇温し、生成した加熱水を貯湯タンク２１の上部に送り返している。これにより、貯湯タンク２１の上部には、加熱水が滞留している。また、貯湯タンク２１の内部には、サーミスタ等からなる複数の図略の温度センサが上下方向に並ぶように配置されている。前記温度センサは、貯湯タンク２１内に貯留されている加熱水の量を計測するために利用される。
【００２２】
貯湯タンク２１内の加熱水が使用されると、タンク下層部から徐々に水に入れ替わっていくことになるが、水はヒートポンプユニット２８により上述のように昇温される。ヒートポンプユニット２８による水の昇温は所定の温度になるまで行われる。
【００２３】
第１分岐管２２は、一端が元配管２９に接続され、他端が貯湯タンク２１の底部に接続されている。元配管２９は、商用の水元供給源に接続された配管であり、水元供給源からの水ＷＬが流通する。元配管２９から第１分岐管２２に流入した水ＷＬは貯湯タンク２１に供給される。
【００２４】
第２分岐管２３は、水ＷＬの流通方向から見て第１分岐管２２よりも下流側に配設された配管であって、水ＷＬを後述するミスト発生器１に供給する。
【００２５】
第１配管２４は、貯湯タンク２１の上部に接続され、貯湯タンク２１内の加熱水ＷＨが流通する配管である。
【００２６】
第２分岐管２３の下流端および第１配管２４の下流端には、湯水混合三方弁２６が接続されている。湯水混合三方弁２６は、第１入力ポート３１、第２入力ポート３２および出力ポート３３を有し、第１入力ポート３１および第２入力ポート３２の開度調整が可能な三方弁である。第１入力ポート３１には、第２分岐管２３の下流端が接続され、第２入力ポート３２には、第１配管２４の下流端が接続されている。そして、出力ポート３３には、第２配管２５の上流端が接続されている。
【００２７】
第１入力ポート３１および第２入力ポート３２の各開度が適宜調整されることにより、貯湯タンク２１から第１配管２４で導出される加熱水ＷＨと、第２分岐管２３から供給される水ＷＬとが設定温度に応じて混合されると、前記設定温度の湯Ｈが出力ポート３３から第２配管２５に導出される。第２配管２５に導出された湯Ｈは浴槽１１に供給されたり、後述するパージ温水としてミスト発生器１に供給されたりする。なお、図１および後述する図２では、湯Ｈを浴槽１１に供給するための供給系統を省略している。また、湯水混合三方弁２６は、第２入力ポート３２を閉状態とすることで、水ＷＬのみを第２配管２５に導出させることができる一方、第１入力３１ポートを閉状態とすることで、加熱水ＷＨのみを第２配管２５に導出させることができる。
【００２８】
給湯制御部２７は、マイクロプロセッサや各種回路を含み、給湯システム２０の各部の動作、例えば、湯水混合三方弁２６の第１入力ポート３１および第２入力ポート３２の開度を制御して設定温度の湯Ｈの生成を行うものである。
【００２９】
ミスト発生器１は、浴室１０の天井１２や壁部に取り付けることができものであり、図１では天井１２に取り付けられている。ミスト発生器１は、ミスト発生機構２と、ミスト発生機構２を制御するミスト発生制御部３と、ミスト発生制御部３にユーザによる操作情報を与える操作手段４とを含む。
【００３０】
ミスト発生機構２は、第２配管２５の下流端に接続されており、第２配管２５から供給された水ＷＬからミストを発生させて、該ミストを矢印で示すように天井１２側から洗い場１３や浴槽１１に向けて供給する。これにより、浴室１０は低温かつ高湿度の環境になる。本実施形態では、第２分岐管２３、湯水混合三方弁２６および第２配管２５が水ＷＬをミスト発生機構２に供給する水供給系統を構成する。
【００３１】
操作手段４は、例えばリモコン装置であり、洗面脱衣室に設置される。操作手段４は運転開始ボタン等の複数のボタンを有する。操作手段４は、ユーザが運転開始ボタンを押すと、運転開始の指令をミスト発生制御部３に送ると共に、給湯システム２０の給湯制御部２７にも運転開始の指令を送るように構成されている。
【００３２】
浴室１０には、浴槽排水管１５や洗い場排水管１４を通して浴槽１１や洗い場１３に連通された浴室排水口１６が設けられている。浴室排水口１６は、浴槽１１や洗い場１３からの排水を外部に排出するための外部排水管１７に連通されている。
【００３３】
ミスト発生機構２と浴室排水口１６とは、ミスト排水管１８によって連通されている。すなわち、ミスト排水管１８の上流端はミスト発生器１に接続され、下流端は浴室排水口１６に接続されている。ミスト発生機構２においてミスト化されなかった水ＷＬは、ミスト排水管１８を通り、浴室排水口１６を介して外部排水管１７に流入する。
【００３４】
ユーザが操作手段４の運転開始ボタンを押すと、給湯制御部２７およびミスト発生制御部３は運転開始の指令を受け取り、まず配管パージを行う。すなわち、給湯制御部２７は湯水混合三方弁２６を制御して所定温度の湯Ｈを生成する。湯Ｈは、第２配管２５、ミスト発生器１、ミスト排水管１８を通り、浴室排水口１６を介して外部排水管１７にブローされる。
【００３５】
所定量の湯Ｈがブローされた後、湯Ｈをシャワーノズル６によってシャワー状態に噴霧して浴室１０内に供給する。噴霧された湯Ｈが有する熱量によって浴室１０の室温が昇温する。浴室室温の昇温は、例えば電気ヒータによっても行われている。
【００３６】
浴室室温が所定の温度に達すると、給湯制御部２７は、湯水混合三方弁２６を制御して、湯Ｈの供給を停止すると共に、水ＷＬのみをミスト発生器１に供給する。ミスト発生機構２は水ＷＬからミストを発生させて、該ミストを浴室１０内に供給する。ミスト発生機構２が温風ヒータ５を内蔵している場合、水ＷＬを温風ヒータ５によって所定温度の湯にした後、その湯からミストを発生させて浴室１０内に供給してもよい。なお、ミストが浴室１０内に供給されている間も、前記電気ヒータによって浴室室温の昇温が行われている。
【００３７】
ミスト発生機構２は、このように水ＷＬからミストを発生させているが、上述したように、供給された水ＷＬの全量をミスト化していない。そのため、ミスト化されなかった水ＷＬ、つまりミスト排水ＭＤは、ミスト排水管１８を通して外部に排出される。ミスト排水ＭＤは、ミスト発生機構２によっては、供給された水ＷＬの全量の約８５％に達するといわれている。このように、ミスト排水ＭＤは清浄度が高いものの外部に排出されており、水資源の無駄となっている。
【００３８】
以下、ミスト排水ＭＤを有効に活用する手段を提供する、本実施形態に係る排水利用システムについて、図２を参照しながら説明する。排水利用システムＳ１は、そのような手段として、ミスト発生機構２と洗濯機４０の洗濯槽４１とを連通させる連通管７を採用している。連通管７により、ミスト排水ＭＤは洗濯機４０に供給される。本実施形態では、ミスト排水ＭＤを外部に排出する図１に示すミスト排水管１８を設けていない。
【００３９】
洗濯機４０は、一般的に洗面脱衣室に設置される通常タイプのものであって、洗濯槽４１、市水手動弁４２、給水配管４３、給水電磁弁４４、洗濯機排水管４５、排水電磁弁４６、洗濯機排水口４７および洗濯制御部４８に加え、ミスト排水電磁弁５１およびミスト排水バイパス管５２を含むように構成されている。
【００４０】
洗濯槽４１は、所定の容量を有するものであって、ミスト発生器１の設置位置（浴室天井１２）よりも低い位置に設置されている。洗濯機４０は、通常洗面脱衣室の床に設置されているので、洗濯槽４１の位置は自然とミスト発生器１の位置よりも低くなる。
【００４１】
市水手動弁４２は、元配管２９に接続された第３分岐管３０と洗濯機４０の給水配管４３とを連通させる弁体であって、第３分岐管３０の下流端が入力ポートに接続され、給水配管４３の上流端が出力ポートに接続されている。したがって、ユーザが洗濯を行うときに市水手動弁４２を開弁することで、水ＷＬが第３分岐管３０から給水配管４３に流入する。
【００４２】
給水電磁弁４４は、洗濯機４０のハウジング内において給水配管４３に接続された弁体であって、洗濯機４０の運転モード、例えば、洗い、待機、脱水、排水、乾燥の各運転モードに対応して開閉弁する。給水電磁弁４４の開閉弁により、給水配管４３から洗濯槽４１に水ＷＬが供給される。
【００４３】
洗濯機排水管４５は、上流端が洗濯槽４１の下部に接続され、下流端が洗濯機排水口４７に接続された配管であって、洗濯槽４１内の水ＷＬを外部に排水するためのものである。洗濯機排水口４７は外部排水管１７に接続されている。洗濯機排水管４５には、排水電磁弁４６が接続されている。排水電磁弁４６は、洗濯機４０の運転モード、例えば、洗い、待機、脱水、排水、乾燥の各運転モードに対応して開閉弁して、洗濯槽４１内の水ＷＬを洗濯機排水口４７を介して外部排水管１７に導く。
【００４４】
ミスト排水電磁弁５１は、後述するようにミスト排水ＭＤの洗濯槽４１内への流入を許容することが可能に構成された三方弁であって、入力ポート５３、第１出力ポート５４および第２出力ポート５５を有する。入力ポート５３には、連通管７の下流端が接続されている。第１出力ポート５４には、ミスト排水供給管５６の上流端が接続されている。ミスト排水供給管５６の下流端は洗濯槽４１に接続されている。第２出力ポート５５には、ミスト排水バイパス管５２の上流端が接続されている。ミスト排水バイパス管５２の下流端は洗濯機排水管４５に接続されている。ミスト排水バイパス管５２は、後述するように、ミスト排水ＭＤが洗濯槽４１に供給されない場合にミスト排水ＭＤを洗濯機排水管４５に導くための配管である。
【００４５】
洗濯制御部４８は、給水電磁弁４４、排水電磁弁４６およびミスト排水電磁弁５１を制御して、洗い、待機、脱水、排水、乾燥等の各運転モードを行うものである。また、洗濯制御部４８は、ユーザがリモコン装置４の運転開始ボタンを押すことによりミスト発生器１が運転開始したことを検知することが可能に構成されている。これは、ユーザがリモコン装置４の運転開始ボタンを押したとき、リモコン装置４から洗濯制御部４８に有線または無線で運転開始したことを知らせる信号を送信することで実行できる。
【００４６】
以下、洗濯機４０によるミスト排水ＭＤの活用について説明する。
【００４７】
ユーザがリモコン装置４の運転開始ボタンを押すと、給湯制御部２７およびミスト発生制御部３は運転開始の指令を受け取ると共に、洗濯制御部４８は給湯システム２０およびミスト発生器１が運転開始したことを検知する。給湯システム２０およびミスト発生器１はまず配管パージを行う。給湯制御部２７は、湯水混合三方弁２６を制御して所定温度の湯Ｈを生成して湯Ｈ（パージ温水）を第２配管２５に供給する。パージ温水は、第２配管２５およびミスト発生器１を通って連通管７に流入する。
【００４８】
連通管７に流入したパージ温水は、そのときの洗濯機４０の運転モードに応じて洗濯槽４１に供給されるか、再利用されずに外部に排水される。具体的には、洗濯制御部４８が待機、洗いの各運転モードを実行しているとき、洗濯制御部４８は、ミスト排水電磁弁５１を制御して、第１出力ポート５４を開状態とする一方、第２出力ポート５５を閉状態とする。これにより、パージ温水は洗濯槽４１に供給され、貯留される。このとき、排水電磁弁４６は洗濯制御部４８によって閉弁されており、洗濯槽４１内のパージ温水が排水されることを防止している。
【００４９】
一方、洗濯制御部４８が脱水、排水、乾燥の各運転モードを実行しているとき、パージ温水が洗濯槽４１に流入することは不都合を生じさせるので、洗濯制御部４８は、ミスト排水電磁弁５１を制御して、第１出力ポート５４を閉状態とする一方、第２出力ポート５５を開状態とする。これにより、パージ温水は、洗濯槽４１に供給されずにミスト排水バイパス管５２に導かれ、洗濯機排水管４５および洗濯機排水口４７を通って外部排水管１７に排出される。
【００５０】
給湯システム２０およびミスト発生器１によって所定のパージ温水がブローされた後、ミスト発生機構２は、上述したように水ＷＬからミストを発生させて該ミストを浴室１０内に供給する。水ＷＬからミスト化されなかったミスト排水ＭＤは、ミスト発生機構２から連通管７に導かれる。
【００５１】
連通管７に流入したミスト排水ＭＤは、パージ温水と同様に、そのときの洗濯機４０の運転モードに応じて洗濯槽４１に供給されるか、再利用されずに外部に排水される。具体的には、洗濯制御部４８が待機、洗いの各運転モードを実行しているとき、洗濯制御部４８は、ミスト排水電磁弁５１を制御して、第１出力ポート５４を開状態とする一方、第２出力ポート５５を閉状態とする。これにより、ミスト排水ＭＤは洗濯槽４１に供給され、貯留される。このとき、排水電磁弁４６は洗濯制御部４８によって閉弁されており、洗濯槽４１内のミスト排水ＭＤが排水されることを防止している。
【００５２】
また、洗濯制御部４８は、ミスト排水ＭＤを洗濯槽４１に供給しつつ、給水電磁弁４４を開状態として、第３分岐管３０から水ＷＬを洗濯槽４１に供給する。これにより、洗いに必要な分だけの洗濯水が確保される。
【００５３】
一方、洗濯制御部４８が脱水、排水、乾燥の各運転モードを実行しているとき、ミスト排水ＭＤが洗濯槽４１に流入することは不都合を生じさせるので、洗濯制御部４８は、ミスト排水電磁弁５１を制御して、第１出力ポート５４を閉状態とする一方、第２出力ポート５５を開状態とする。これにより、ミスト排水ＭＤは、洗濯槽４１に供給されずにミスト排水バイパス管５２に導かれ、洗濯機排水管４５および洗濯機排水口４７を通って外部排水管１７に排出される。
【００５４】
このように、本実施形態に係る排水利用システムＳ１によれば、給湯システム２０およびミスト発生器１によるパージ温水、特にミスト発生機構２から出るミスト排水ＭＤは、洗濯制御部４８が待機、洗いの各運転モードを実行しているとき、洗濯槽４１に供給される。これにより、清浄度の高いミスト排水ＭＤを洗濯に用いることができるので、従来では捨てられていたミスト排水ＭＤを有効に活用することができる。特に、ユーザがミスト発生器１を運転させ、入浴した後に、つまり、洗濯機４０の待機モード中に水ＷＬからなるミスト排水ＭＤとパージ温水とが洗濯槽４１に貯留された後に、洗濯機４０を運転させることで、ミスト排水ＭＤの全量およびパージ温水の全量を洗濯に用いることができる。また、温かいパージ温水が洗濯槽４１に供給されるので、洗濯物の汚れ落ちが一層期待できる。
【００５５】
例えば、ミスト発生器１を１週間に２回、それぞれ３０分間使用すると想定し、ミスト発生機構２への水ＷＬの各給水量を１分間に１リットル、パージ温水量を２リットル、ミスト化率を１５％（言い換えれば、供給された水ＷＬの全量の８５％がミスト排水ＭＤとなる）とし、かつミスト排水ＭＤの全量が洗濯機４０によって使用されると仮定すると、
（１リットル×３０分×０．８５＋２リットル）×２回／７日×３６５日
＝２．９トン
もの水を有効活用することができる。
【００５６】
昨今の洗濯機４０は１回あたり１００リットルの水を使用する。１日あたりの洗濯回数を１回と仮定すると、
１００リットル／１日×３６５日＝３６．５トン
の水を年間使用することになる。
【００５７】
したがって、本実施形態に係る排水利用システムＳ１によれば、
２．９トン／３６．５トン×１００％＝約８％
の洗濯水を節約することができる。
また、見方を変えれば、
２．９トン／１００リットル＝２９回分の洗濯水（つまり、ほぼ１ヶ月分の洗濯水）を節約することができる。
【００５８】
さらに、本実施形態に係る排水利用システムＳ１によれば、ミスト発生器１は洗濯槽４１よりも高い位置に取り付けられているので、言い換えれば、連通管７に勾配が付与されているので、ミスト排水ＭＤに、電動ポンプ等の外部エネルギーを用いることなく洗濯槽４１に流入させることが可能な程度のヘッド圧を付与することができる。これにより、鳥居配管等の複雑な配管工事を省略することができる。
【００５９】
なお、以上説明した本実施形態では、ミスト発生器１が給湯システム２０から給水を受ける構成の場合につき説明したが、これに限定されず、ミスト発生器１が元配管２９から直接給水を受ける構成を採用してもよい。
【符号の説明】
【００６０】
１  ミスト発生器
２  ミスト発生機構
３  ミスト発生制御部
４  操作手段
７  連通管
１０  浴室
１７  外部排水管
２０  給湯システム
４０  洗濯機
４１  洗濯槽
４７  洗濯機排水口
４８  洗濯制御部
５１  ミスト排水電磁弁
５２  ミスト排水バイパス管
ＭＤ  ミスト排水
Ｓ１  排水利用システム
ＷＬ  水
ＷＨ  湯
【図１】
2011219988.tif 000003
【図２】
2011219988.tif 000004